(57)【要約】【課題】本発明は車両などのドアの施錠や開錠などを遠隔操作するのに用いられるアンテナ装置およびその製造方法に関し、安定したアンテナ特性が得られ、かつ容易な組立が得られるものを提供することを目的とする。【解決手段】略平板状の保持体１４の脚部１４Ｂを折曲げて配線基板１２の係止孔１２Ｂに挿入・係止し、かつ保持体１４の周縁に設けた溝部１４Ａにアンテナ１３のループ部１３Ａを装着し、その立上部１３Ｂの一端を接続部１２Ａに接続してアンテナ装置２０を構成する。【選択図】図１
2007243871.tif 000002
【特許請求の範囲】
【請求項１】
立上部の上端から曲折されループ状に形成されたアンテナと、このアンテナを保持する保持体と、前記アンテナの立上部の下端が接続される配線基板とを備え、
前記保持体が、略平板状に形成され、かつ、その周縁に設けた溝部で前記アンテナを保持するアンテナ装置。
【請求項２】
溝部を保持体の平坦部の一主面に形成した請求項１記載のアンテナ装置。
【請求項３】
保持体にアンテナを挟持するフック部を設けた請求項１記載のアンテナ装置。
【請求項４】
保持体が、その周縁に設けた溝部で折曲げされて配線基板に装着され、かつアンテナが、そのループ部を前記溝部に装着される請求項１記載のアンテナ装置の製造方法。
【発明の詳細な説明】
【技術分野】
【０００１】
本発明は、主に車両などのドアの施錠や解錠に用いられる遠隔制御装置のアンテナ装置に関するものである。
【背景技術】
【０００２】
近年、車両などの高機能化や多様化が進むに伴い、メカニカルキーを用いて直接ドアの施錠や解錠を行うものに加え、携帯可能な送信機と車両に搭載された受信機の間で通信を行い施錠や解錠を遠隔操作で行うものが増えている。
【０００３】
このような遠隔制御装置は、送信機を携帯する使用者が車に近寄ったり、送信機を操作すると、送信機から所定の電波信号が送信され車両に搭載された受信機が受信して、電波信号に含まれた制御信号が受信機にあらかじめ記憶させた制御信号と一致した際にドアを開錠あるいは施錠するものである。
【０００４】
このような遠隔制御装置のアンテナ装置について、受信機を例として図７〜図８を用いて説明する。
【０００５】
図７は従来のアンテナ装置の断面図、図８は同分解斜視図であり、同図において、１はケースで、ケース１は成型樹脂製で略箱状に形成され下方に開口部１Ａを有すると共に、一側面には後述するコネクタを挿通する切欠部１Ｂを有している。
【０００６】
そして、２はケース１内に収容保持される配線基板で、図示しない配線パターンが形成された配線基板２上には、送信機（図示せず）からの電波信号を受信するアンテナ３が配置されている。
【０００７】
このアンテナ３は、樹脂製で略四角形状に形成された、保持体４の上部側面の凹部４Ａに巻回されてループ部３Ａを形成し保持されると共に、その立上部３Ｂの一端は接続部２Ａに挿通・はんだ付けにより電気的に接続されている。一方、保持体４は各支柱４Ｂをネジ５により配線基板２に固定されている。
【０００８】
さらに、配線基板２上には、アンテナ３で受信した電波信号を増幅、波形分別および波形成形する受信回路６Ａ、この受信回路６Ａの出力信号を処理する信号処理回路６Ｂ、この信号処理回路６Ｂの出力信号によりドアの施錠や開錠動作を行うモータ（図示せず）を駆動するリレー６Ｃおよび電源供給と車両側との電気信号の伝送に使用されるコネクタ８が配設されている。
【０００９】
そして、配線基板２はケース１内に収容保持される一方、ケース１の開口部１Ａを成型樹脂製のカバー９で覆ってアンテナ装置１０が構成されている。
【００１０】
次に、このように構成されるアンテナ装置１０の製造方法について説明する。
【００１１】
まず、配線基板２に形成された配線パターン上に受信回路６Ａ、信号処理回路６Ｂ、リレー６Ｃおよびコネクタ８などの回路部品を配置し、はんだ付けにより電気的に接続する。
【００１２】
また、アンテナ３は、所定の長さに切断された金属製線材を、保持体４の上方側面の凹部４Ａに巻き付けてループ部３Ａを形成すると共に、このループ部３Ａの一方端を下方へ折曲げて立上部３Ｂを設け、このアンテナ３と保持体４が組立てられてアンテナ体３０が形成されている。
【００１３】
なお、上記アンテナを形成する際、線材を、通信周波数により決まる所定の長さに切断し、これを保持体４の凹部４Ａに巻き付けてループ部３Ａを形成しているため、特にコーナの折曲げを確実に行い、安定したアンテナ特性を得る必要があり、折曲げが不十分だと立上部３Ｂの長さが不足して接続部２Ａに挿通できなくなる場合もある。
【００１４】
次に、アンテナ体３０の装着は、まず、配線基板２に保持体４の各支柱４Ａのいずれかをネジ５で緩く仮固定すると共に、アンテナ３の立上部３Ｂを配線基板２の接続部２Ａに挿通させ、つぎに、各支柱４Ａをネジ５で本固定した後、立上部３Ｂを接続部２Ａにはんだ付けしている。
【００１５】
最後に、ケース１内に配線基板２を収容保持し、ケース１の凸部１Ｃをカバー９の係止部９Ａに係止し、ケース１の開口部１Ａをカバー９で覆うことによりアンテナ装置１０の組立が完了する。
【００１６】
以上のように構成されたアンテナ装置１０の動作は、図示しない送信機から受信された制御信号を含む電波信号が、アンテナ装置１０のアンテナ３を介して受信された受信回路６Ａ内の増幅回路によって増幅されると共に、波形分別、波形成形された受信信号となって出力される。
【００１７】
そして、この受信信号は信号処理回路６Ｂに入力され、信号処理回路６Ｂは受信信号に含まれる制御信号が、あらかじめ自らに記憶された制御信号と一致した場合、その制御信号に応じた駆動信号をリレー６Ｃに対して出力し、リレー６Ｃの動作に応じて図示しないモータを正転、逆転または停止させることによって、ドアを開錠または施錠するものであった。
【００１８】
なお、この出願の発明に関連する先行技術文献情報としては、例えば、特許文献１が知られている。
【特許文献１】特開平１０−１４５１２１号公報
【発明の開示】
【発明が解決しようとする課題】
【００１９】
しかしながら、上記従来のアンテナ装置１０においては、保持体４の凹部４Ａにアンテナ３を巻き付けてアンテナ体３０を一体に形成するため、アンテナ３のループ部３Ａが、特にコーナ形状にバラツキが生じて安定したアンテナ特性が得にくく、かつ、アンテナ体３０の配線基板２への装着が困難であるという課題があった。
【００２０】
本発明は、このような従来の課題を解決するものであり、安定したアンテナ特性が得られると共に、組立の容易なアンテナ装置およびその製造方法を提供することを目的とする。
【課題を解決するための手段】
【００２１】
上記目的を達成するために本発明のアンテナ装置およびその製造方法は、以下の構成を有するものである。
【００２２】
本発明の請求項１に記載の発明は、予め単独に形成できるループ状のアンテナを、保持体の周縁に設けた溝部に装着してアンテナ装置を構成したものであり、単独でアンテナを形成できるため安定したアンテナ特性を確保できるアンテナ装置を得ることができるという作用を有する。
【００２３】
請求項２に記載の発明は、請求項１記載の発明において、溝部を保持体の平坦部の一主面に形成したものであり、配線基板への、アンテナと保持体との取付が別々にできるため、作業が容易にできるという作用を有する。
【００２４】
請求項３に記載の発明は、請求項１記載の発明において、保持体にアンテナを挟持するフック部を設けたものであり、このフック部でアンテナを挟持できるという作用を有する。
【００２５】
請求項４に記載の発明は、請求項１記載のアンテナ装置の製造方法であって、保持体が、その周縁に設けた溝部で折曲げされて配線基板に装着され、かつアンテナが、そのループ部を前記溝部に装着されるものであり、組立作業が容易にできるという作用を有する。
【発明の効果】
【００２６】
以上のように本発明によれば、アンテナを予め単独で形成できるためアンテナ特性が安定し、かつアンテナを保持体の溝部に保持できるため組立の容易なアンテナ装置を得ることができるという有利な効果が得られる。
【発明を実施するための最良の形態】
【００２７】
以下、本発明の実施の形態について、図１〜図６を用いて説明する。なお、従来の技術の項で説明した構成と同一構成の部分には同一符号を付して、詳細な説明を簡略化する。
【００２８】
図１は本発明の一実施の形態によるアンテナ装置の断面図、図２は同分解斜視図であり、同図において、１は成型樹脂製で略箱型のケースで、ケース１は下方に開口部１Ａを有すると共に、一側面には後述するコネクタを挿通する切欠部１Ｂを有している。
【００２９】
そして、１２はケース１内に収容保持される配線基板で、図示しない配線パターンが形成された配線基板１２上には、送信機（図示せず）からの電波信号を受信するアンテナ１３が配置されている。
【００３０】
なお、アンテナ１３は、受信する電波の周波数によってその長さが決定されるもので、例えば、３００ＭＨｚ帯の場合、アンテナ１３の全長は３００ＭＨｚ帯の１／４波長の長さである約２４ｍｍに設定される。
【００３１】
このアンテナ１３は、ループ部１３Ａが、樹脂製で同じく略四角形状の保持体１４に形成された２つの溝部１４Ａに装着されると共に、その立上部１３Ｂの一端は接続部１２Ａに挿通・はんだ付けにより電気的に接続されている。また、折曲げられた保持体１４の脚部１４Ｂは配線基板１２に設けた係止孔１２Ｂに係止されている。
【００３２】
さらに、配線基板１２上には、アンテナ１３で受信した電波信号を増幅、波形分別および波形成形する受信回路６Ａ、この受信回路６Ａの出力信号を処理する信号処理回路６Ｂ、この信号処理回路６Ｂの出力信号によりドアの施錠や開錠動作を行うモータ（図示せず）を駆動するリレー６Ｃおよび電源供給と車両側との電気信号の伝送に使用されるコネクタ８が配設されている。
【００３３】
そして、配線基板１２はケース１内に収容保持される一方、ケース１の開口部１Ａを成型樹脂製のカバー９で覆ってアンテナ装置２０が構成されている。
【００３４】
次に、このように構成されるアンテナ装置２０の製造方法について説明する。
【００３５】
まず、配線基板１２に形成された配線パターン上に受信回路６Ａ、信号処理回路６Ｂ、リレー６Ｃおよびコネクタ８などの回路部品を配置し、はんだ付けにより電気的に接続する。
【００３６】
次に、図３に示すように、略平板状の平坦部１４Ｃの一主面である上面の対向する２辺（図３では１辺のみ表記）の周縁に半丸状や略Ｕ字状の溝部１４Ａを設け、さらに延伸して脚部１４Ｂが設けられた保持体１４を、図４に示すように、溝部１４Ａが外側になるように、実線矢印方向に９０度折曲げして脚部１４Ｂを配線基板１２の係止孔１２Ｂに挿通する。
【００３７】
このとき保持体１４の脚部１４Ｂには折曲げ前の状態に戻ろうとするａ方向の復元力Ｆが発生し、この復元力Ｆで保持体１４は係止孔１２Ｂにより規制を受けて配線基板１２上に自立・係止する。
【００３８】
なお、この保持体１４の材料は、成型が可能で折曲性に優れるポリプロピレン（ＰＰ）などを使用することで、溝部１４Ａの耐折曲性が向上できて好ましい。
【００３９】
次に、アンテナ１３は、銅や銅合金などの金属製線材を所定の長さに切断した後、図示しない治工具で、略四角形状のループ部１３Ａおよびループ部１３Ａの一方端を下方へ折曲げして立上部１３Ｂを設けて形成した後、図４に示すように、保持体１４の溝部１４Ａに装着される。
【００４０】
ここで、アンテナ１３のループ部１３Ａは、略四角形状に形成されているため、ループ部１３Ａを指などでつまんで溝部１４Ａに装着する際、ループ部１３Ａの一辺を多少引っ張っても隣り合う２辺がバネ性によりその変化に追従でき、かつ引っ張り力を開放すると元の形状に戻ることができる。
【００４１】
次に、アンテナ１３の左右のループ部１３Ａが保持体１４の溝部１４Ａに装着された状態で、アンテナ１３のループ部１３Ａと同様に復元力を有する立上部１３Ｂの一端を持上げ、配線基板１２の接続部１２Ａに挿通させ、はんだ付けにより電気的に接続する。
【００４２】
このように、保持体１４は、溝部１４Ａを一主面である上面に形成して配線基板１２に装着されており、溝部１４Ａが上面に位置するため視認できて、アンテナ１３のループ部１３Ａを溝部１４Ａに装着する作業が容易にできる。
【００４３】
最後に、ケース１内に配線基板１２を収容保持し、ケース１の凸部１Ｃをカバー９の係止部９Ａに係止し、ケース１の開口部１Ａをカバー９で覆うことによりアンテナ装置２０の組立が完了する。
【００４４】
図５は他の実施の形態による保持体の裏面図であり、この保持体２４の溝部２４Ａは、図３に示す保持体１４の上面にある溝部１４Ａとは逆の裏面に設けている。
【００４５】
この保持体２４は略平板状に形成され、その平坦部２４Ｃの裏面の２辺（図５では１辺のみ表記）の周縁に半丸状や略Ｕ字状の溝部２４Ａを設け、さらに延伸して脚部２４Ｂとフック部２５を設けている。
【００４６】
そして、図６に示すように、アンテナ１３の左右のループ部１３Ａを保持体２４の溝部２４Ａに置いた状態で、溝部２４Ａが内側になるようにフック部２５を折曲げてフックする。
【００４７】
このフックの形成は、フック部２５の留め部２５Ａを実線矢印方向に略１８０度折曲げして、留め部２５Ａの凸部２５Ｂを平坦部２４Ｃに設けた孔２４Ｄに圧挿することにより完成する。
【００４８】
次に、溝部２４Ａが同じ内側になる方向に脚部２４Ｂを折曲げして、この脚部２４Ｂを配線基板１２の係止孔１２Ｂに挿通・係止させる。この脚部２４Ｂには、元の状態に戻ろうとするａ方向の復元力Ｆが発生し、この復元力Ｆで保持体２４は係止孔１２Ｂにより規制されて配線基板１２上に自立・係止している。
【００４９】
そして、アンテナ１３の左右のループ部１３Ａを保持体２４のフック部２５で保持しつつ、アンテナ１３の立上部１３Ｂを配線基板１２の接続部１２Ａに挿通させ、はんだ付けにより電気的に接続する。
【００５０】
なお、図５において、保持体２４の溝部２４Ａは平坦部２４Ｃの裏面に設けるものとしたが、もちろん、平坦部２４Ｃの表面に設けても実施は可能である。この場合、アンテナ１３のループ部１３Ａを溝部２４Ａに装着した後に、アンテナ１３を視認しながらフックの形成作業ができるという効果がある。
【００５１】
以上のように構成され、車両のインストルパネル内などに配置されるアンテナ装置２０の動作は、図示しない送信機から送信された電波信号を受信し、この受信信号により車両のドアを開錠または施錠することは、従来の技術の場合と同様である。
【００５２】
このように本実施の形態によれば、アンテナ１３が、単独で形成できるため安定したアンテナ特性のアンテナ装置を得ることができるものである。
【００５３】
また、配線基板１２への、保持体１４とアンテナ１３との取付が別々にできるため、作業が容易にできるという作用を有する。
【００５４】
また、保持体２４にフック部２５を更に設けることによって、このフック部２５でアンテナ１３を挟持できるため、配線基板１２への組立作業が更に容易にできる。
【００５５】
また、保持体１４、２４は平板状に形成しているため、従来の立体的な保持体４に比べ、その成型金型の構造が簡単にできると共に、成型サイクルを短くして安価にできるという副次効果もある。
【００５６】
なお、上記実施の形態では、アンテナ１３のループ部１３Ａと保持体１４を略四角形状に形成するものとして説明したが、本発明はこの形状に限定されるものではなく、ループ部１３Ａの形状は、保持体１４の溝部１４Ａに装着できるものであれば、ループ部１３Ａと保持体１４が円形状や楕円形状などでも本発明の実施は可能である。
【産業上の利用可能性】
【００５７】
本発明によるアンテナ装置およびその製造方法は、安定したアンテナ特性が得られ、かつ組立が容易にできるという効果を有し、ドアの施錠や開錠などを遠隔操作するのに用いられるアンテナ装置等に有用である。
【図面の簡単な説明】
【００５８】
【図１】本発明の一実施の形態によるアンテナ装置の断面図
【図２】同分解斜視図
【図３】同要部部品の要部斜視図
【図４】図３のＡ−Ａ拡大断面図
【図５】同別形態による要部部品の要部裏面斜視図
【図６】図５のＡ−Ａ拡大断面図
【図７】従来のアンテナ装置の断面図
【図８】同分解斜視図
【符号の説明】
【００５９】
１２  配線基板
１２Ａ  接続部
１３  アンテナ
１３Ａ  ループ部
１３Ｂ  立上部
１４  保持体
１４Ａ  溝部
１４Ｂ  脚部
１４Ｃ  平坦部
２０  受信機（アンテナ装置）
【図１】
2007243871.tif 000003
【図２】
2007243871.tif 000004
【図３】
2007243871.tif 000005
【図４】
2007243871.tif 000006
【図５】
2007243871.tif 000007
【図６】
2007243871.tif 000008
【図７】
2007243871.tif 000009
【図８】
2007243871.tif 000010